(57)【要約】【課題】熱圧融着装置において、エアストリッパ機器が高コスト化かつ複雑化するのを回避すべく基体の接触剥離方法を改善する。【解決手段】受像媒体除去装置は、普通紙等の受像媒体の前縁を加熱されたフューザーロール１２から分離するストリッパ・フィンガー構造３２と、受像媒体の前縁より奥側を加熱されたフューザーロール１２から分離するストリッパ・バッフル構造３４とを有する。ストリッパ・フィンガー構造３２は定位置すなわち待機位置と稼動位置の間を移動可能に支持されていて、フィンガーの先端が加熱されたフューザーロール１２と常時接触していることにより、媒体の前縁を加熱されたフューザーロール１２から分離する。ストリッパ・バッフル構造３４は定位置すなわち待機位置と稼動位置の間を移動可能に支持されていて、稼動位置において受像媒体の前縁より奥側を分離する。【選択図】図３
2004234004.tif 000002
【特許請求の範囲】
【請求項１】
加熱されたフューザーロールと、
前記加熱されたフューザーロールと圧力係合してニップを形成し、該ニップを受像媒体が通過する際に前記媒体上に配置されたトナー画像が前記加熱されたフューザーロールに接触すべく適合された圧力ロールと、
受像媒体除去装置と、
を含む熱圧フューザーロール装置であって、
前記受像媒体除去装置は、
前記受像媒体の前縁を前記加熱されたフューザーロールから分離すべく待機位置と稼動位置の間を移動可能に支持されたストリッパ・フィンガー構造と、
前記受像媒体の前記前縁より奥側を分離すべく待機位置と媒体剥離位置の間を移動可能に支持されたストリッパ・バッフル構造と、
前記ストリッパ・フィンガー構造と前記ストリッパ・バッフル構造を、前記待機位置と前記稼動位置の間を間欠的に移動させる手段とを含み、
前記ストリッパ・フィンガーは前記加熱されたフューザーロールと受像媒体剥離位置において接触し、その後で前記バッフル構造を前記加熱されたフューザーロールの近傍に配置して前記受像媒体の前縁より奥側を除去することを特徴とする熱圧フューザーロール装置。
【請求項２】
請求項１に記載の熱圧フューザーロール装置において、前記ストリッパ・フィンガー構造および前記ストリッピング・バッフル構造を間欠的に移動させる手段は、少なくとも二つのカムの対を搭載するカム軸を含み、そのうちの一対は前記ストリッパ・フィンガー構造を移動させ、他の対は前記ストリッピング・バッフル構造を移動させることを特徴とする熱圧フューザーロール装置。
【請求項３】
熱圧ロールフューザーで使用する受像媒体除去装置であって、
前記受像媒体の前縁を前記加熱されたフューザーロールから分離すべく待機位置と稼動位置の間を移動可能に支持されたストリッパ・フィンガー構造と、
前記受像媒体の前記前縁より奥側を分離すべく待機位置と媒体剥離位置の間を移動可能に支持されたストリッパ・バッフル構造と、
前記ストリッパ・フィンガー構造と前記ストリッパ・バッフル構造を、前記待機位置と前記稼動位置の間を間欠的に移動させる手段と、を含み、
前記ストリッパ・フィンガーは前記加熱されたフューザーロールと受像媒体剥離位置において接触し、引き続き前記バッフル構造を前記加熱されたフューザーロールの近傍に配置して前記受像媒体の前縁より奥側を除去する受像媒体除去装置。
【請求項４】
請求項３に記載の受像媒体除去装置において、前記ストリッパ・フィンガー構造および前記ストリッピング・バッフル構造を間欠的に移動させる手段は、少なくとも二つのカムの対を搭載するカム軸を含み、そのうちの一対は前記ストリッパ・フィンガー構造を移動させ、他の対は前記ストリッピング・バッフル構造を移動させることを特徴とする受像媒体除去装置。
【発明の詳細な説明】
【技術分野】
【０００１】
本発明は一般に熱圧融着装置に関し、より具体的には、加熱されたフューザーロールから普通紙等の受像媒体を除去するための受像媒体除去装置に関する。
【背景技術】
【０００２】
典型的な電子写真複写または印刷処理では、光導電部材等の電荷保持面をほぼ一様な電位に帯電させることにより、その表面に感光性を与えている。また、光導電部材の帯電部位を選択的に露光することにより、光が照射された領域の電荷を消失させている。こうして、光導電部材上に静電潜像が記録される。静電潜像が光導電部材上に記録された後、静電潜像は１種以上の現像剤と接触させることにより可視化される。一般に、現像剤は摩擦電気により担体顆粒に接着するトナー粒子を含む。トナー粒子は、担体顆粒から、ドナーロールまたは光導電部材上の静電潜像のいずれかへ誘引される。ドナーロールへ誘引された場合、トナー粒子は実質的に静電潜像上に溶着される。次いで、トナー粉体画像は、光導電部材から最終基体すなわち受像媒体へ転写される。トナー粉体画像を形成するトナー粒子は次いで熱および／または圧力を受けて粉体画像を複写基体に永久定着させる。
【０００３】
熱によりトナー剤を普通紙等の基体または支持部材に永久定着または融着させるには、トナー剤の成分が融合して粘着性を有するまでトナー剤の温度を上げる必要がある。この処理は、トナーが繊維の上におよび／または支持部材の間隙、あるいはその表面上へある程度流れる要因となる。それ以後、トナー剤が冷却するにつれてトナー剤の固化が生じ、トナー剤は支持部材に堅固に接着してしまう。
【０００４】
トナー剤画像を最終基体または受像媒体上に熱融着させるアプローチの一つは、未融着トナー画像が配置された基体を、少なくとも一方の内部が加熱された１対の対向するローラー部材の間を通過させることである。この種の融着システムの動作中に、トナー画像が静電付着している基体が圧力係合されたロール間に形成されたニップを通って移送され、トナー画像が加熱されたフューザーロールに接触することでニップ内のトナー画像が熱せられる。
【０００５】
加熱されたフューザーロールから最終基体または受像媒体を分離すべく、通常は複数のストリッパ・フィンガーが用意されている。フィンガーは、先端が受像媒体の前縁と加熱されたフューザーロールとの間に挿入されるように加熱されたフューザーロール表面と物理的に接触している。加熱されたフューザーロールから受像媒体が分離されたならばそれを収容すべく固定バッフルが採用されている。そのようなバッフルは、受像した基体を複写機の出口に向けて移送または誘導すべくフューザーニップの下流にある固定位置に支持されている。
【０００６】
【特許文献１】米国特許第３５７８８５９号明細書
【特許文献２】米国特許第３８４４２５２号明細書
【特許文献３】米国特許第４０６５１２０号明細書
【特許文献４】米国特許第４０２８０５０号明細書
【特許文献５】米国特許第４１１９３０７号明細書
【特許文献６】米国特許第５４０６３６３号明細書
【特許文献７】米国特許第５６２３７２０号明細書
【発明の開示】
【発明が解決しようとする課題】
【０００７】
接触型ストリッパ・フィンガーにより用紙等の受像媒体または基体上のトナーに生じた乱れは、顧客への提供に適さないほど深刻な場合が多い。この問題を回避すべく、加熱されたフューザーロールから受像媒体を分離または剥離するニップ形成フューザーロール（ＮＦＦＲ）および／またはエアストリッパ・システムが利用されてきた。エアストリッパを用いるアプローチはフィンガーマークの除去には有効であるものの、エアストリッパ・システムのコストは極めて高く、コンプレッサが３００〜５００ワット余分に電力を消費し、構成もかなり複雑になる。従って、エアストリッパ機器が高コスト化かつ複雑化するのを回避すべく基体の接触剥離方法を改善することが大いに望まれている。
【０００８】
かかる事情に鑑み、本発明は、用紙等の受像媒体を加熱されたフューザーロールから分離する画像媒体除去装置の改良に向けられている。稼動位置にある場合には受像媒体の前縁を分離する待機位置と稼動位置の間を移動可能なストリッパ・フィンガー構造、および受像媒体の前縁より奥側を分離する待機位置と稼動位置の間を移動可能なストリッパ・バッフル構造を提供する。
【課題を解決するための手段】
【０００９】
本発明にかかる熱圧フューザーロール装置は、加熱されたフューザーロールと、上記加熱されたフューザーロールと圧力係合してニップを形成し、該ニップを受像媒体が通過する際に上記媒体上に配置されたトナー画像が上記加熱されたフューザーロールに接触すべく適合された圧力ロールと、受像媒体除去装置と、を含む熱圧フューザーロール装置であって、上記受像媒体除去装置は、上記受像媒体の前縁を上記加熱されたフューザーロールから分離すべく待機位置と稼動位置の間を移動可能に支持されたストリッパ・フィンガー構造と、上記受像媒体の上記前縁より奥側を分離すべく待機位置と媒体剥離位置の間を移動可能に支持されたストリッパ・バッフル構造と、上記ストリッパ・フィンガー構造と上記ストリッパ・バッフル構造を、上記待機位置と上記稼動位置の間を間欠的に移動させる手段とを含み、上記ストリッパ・フィンガーは上記加熱されたフューザーロールと受像媒体剥離位置において接触し、その後で上記バッフル構造を上記加熱されたフューザーロールの近傍に配置して上記受像媒体の前縁より奥側を除去する。
【００１０】
また、上記本発明にかかる熱圧フューザーロール装置では、上記ストリッパ・フィンガー構造および上記ストリッピング・バッフル構造を間欠的に移動させる手段は、少なくとも二つのカムの対を搭載するカム軸を含み、そのうちの一対は上記ストリッパ・フィンガー構造を移動させ、他の対は上記ストリッピング・バッフル構造を移動させるのが好適である。
【００１１】
また、本発明にかかる受像媒体除去装置は、熱圧ロールフューザーで使用する受像媒体除去装置であって、上記受像媒体の前縁を上記加熱されたフューザーロールから分離すべく待機位置と稼動位置の間を移動可能に支持されたストリッパ・フィンガー構造と、上記受像媒体の上記前縁より奥側を分離すべく待機位置と媒体剥離位置の間を移動可能に支持されたストリッパ・バッフル構造と、上記ストリッパ・フィンガー構造と上記ストリッパ・バッフル構造を、上記待機位置と上記稼動位置の間を間欠的に移動させる手段と、を含み、上記ストリッパ・フィンガーは上記加熱されたフューザーロールと受像媒体剥離位置において接触し、引き続き上記バッフル構造を上記加熱されたフューザーロールの近傍に配置して上記受像媒体の前縁より奥側を除去する。
【００１２】
また、上記本発明にかかる受像媒体除去装置では、上記ストリッパ・フィンガー構造および上記ストリッピング・バッフル構造を間欠的に移動させる手段は、少なくとも二つのカムの対を搭載するカム軸を含み、そのうちの一対は上記ストリッパ・フィンガー構造を移動させ、他の対は上記ストリッピング・バッフル構造を移動させるのが好適である。
【００１３】
本発明は、受像媒体の前縁を分離するためのストリッパ・フィンガー構造および受像媒体の前縁より奥側の分離を行なうためのストリッパ・バッフル構造を含む受像媒体除去装置を提供する。ストリッパ・フィンガーは受像媒体の最初の３〜１５ｍｍの間稼動状態にあり、その後で受像媒体に剥離は上記目的のためにフューザーのニップ出口の近傍まで移動したストリッパ・バッフルの制御下に入る。
【００１４】
ストリッパ・フィンガーは間欠的に動作する。すなわち、複写動作間隔の間に受像媒体がフューザーのニップ出口に到着する前に、グループとして待機位置から起動され、受像媒体の前縁がストリッパ・フィンガーの先端を約２〜７５ｍｍ、好適には３〜１５ｍｍ通過した後、媒体がストリッピング・バッフルの制御下に入るまで機能し続ける。従来技術のバッフルとは異なり、本発明の出口バッフルはフューザー・ロールから０．５〜１ｍｍ以内の近接位置まで移動する。本発明の主な利点は、領域内に現像剤がある場合にストリッパ・フィンガーマークが媒体の最初の数ミリメートルに限定される点であり、第二の利点はフィンガーが剥離動作を行なう時間が短縮されるためにフィンガー先端の磨耗が減少する点である。バッフルがストリッパの近傍まで移動することにより、ストリッパ・フィンガーは従来技術による機器と比較して短時間で機能できるようになる。言い換えれば、フィンガーが受像媒体と接触するのは短時間に限られる。
【００１５】
圧力係合可能なロールを含む熱圧フューザー装置を提供する。該ロールが形成するニップを普通紙等の受像媒体が通過する際に、媒体上に配置されたトナー画像がフューザー装置の一部を構成する加熱ロールに接触する。本発明の主な目的は、加熱されたフューザーロールから受像媒体を分離する装置を提供することである。
【発明を実施するための最良の形態】
【００１６】
図１は、熱圧フューザー１０を模式的に示す図である。フューザー１０は、加熱されたフューザーロール１２、および圧力ロール１４を含み、これらによって形成されるニップ１６をトナー画像が生成されている受像媒体１８が通過する際に、トナー画像が加熱されたフューザーロール１２に接触する。トナーイメージは電荷保持部材２０から受像媒体１８へ転写される。このような転写は、転写放電装置２２を用いて支援される。分離放電装置２４は電荷保持部材２０から受像媒体を分離しやすくする。
【００１７】
真空移送装置２６は、受像媒体が電荷保持部材から分離されたならば、圧力係合フューザーと圧力ロールの間に形成されたニップ１６内へ受像媒体を移動させる。
【００１８】
受像媒体センサー３０が受像媒体の位置を検知すべく、真空移送装置２６に隣接して配置されている。非図示のファームウェアは媒体位置センサー３０が生成した信号を処理して、媒体除去装置３５の一部を構成するフィンガー・ストリッパ構造３２（図２、３、１３、および１４）およびストリッピング・バッフル構造３４（図２、３、および１５）の動作を制御する。
【００１９】
ストリッパ・フィンガー構造３２は、ほぼ三角形のベース部材３６（図２）を含み、該三角形ベース部材の長さとほぼ同じ長さの軸３８を搭載している。軸３８は複数のストリッパ・フィンガー・アセンブリ４０（図１３、１４）をピボット回転可能に支持する。各ストリッパ・フィンガー・アセンブリは、適当なプラスチックまたは金属材料から加工されたベース部材４２（図１３と１４）を含む。以下に述べるように、ベース部材４２の一端に重ね板バネ４４が取付けられていてその自由端にプラスチック先端４６が固定されており、該先端は加熱されたフューザーロールと常時接触し、受像媒体とは間欠的に接触する。
【００２０】
各ストリッパ・フィンガー・アセンブリのねじりバネ４８は、ストリッパ・フィンガー・アセンブリのベース部材４２を三角形ベース部材と係合するまで偏らせるべく軸３８に支持されていて、それによりストリッパ・フィンガー先端が媒体剥離および待機位置にある場合は加熱されたフューザーロール部材と接触する。重ね板バネ４４はフィンガー先端４６を、加熱されたフューザーロールの表面と係合するまで適当な偏りを与えて、受像媒体の前縁を分離させる役割を果たす。
【００２１】
１対の支持アーム４９が、ほぼ三角形のベース部材３６の両端に各々１本づつ配置されている。各支持アームは横方向に突き出た上部ガイドアーム５０および横方向に突き出た下部ガイドアーム５２を搭載している。上部および下部ガイドアーム５０、５２の各対の自由端は１対の上部および下部トラック５４、５６（図２および４〜１２）に収容されていて、各々はストリッパ・フィンガー構造の各終端に隣接するトラック構造として提供されている。トラック構造５８はフューザー・フレーム部材６２上に搭載されている。トラック５４、５６はガイドアーム５０、５２と協働して、ストリッパ・フィンガー構造３２が前縁媒体剥離および非剥離位置の間を正しく動くようにしている。
【００２２】
横方向に突き出た下部ガイドアーム５２ストリッパ・フィンガー構造の各終端に１本づつ配置（図４、１３）が固定軸７０にピボット回転可能に搭載された１対の分岐カム従動子６６に１本づつ収容される（図４、７、および１３）。分岐カム従動子６６は、ストリッパ・フィンガー構造３２の前縁剥離と非剥離位置の間における動作を伝達する役割を果たす。この目的のために、カム軸７４の対向する終端に搭載された１対のカム７２が分岐部材６６と係合して、ストリッパ・フィンガー構造の剥離と非剥離位置の間における所望の動作を伝達する。上側の横方向に突き出たガイドアーム５０に固定された引張りバネ部材７６は、媒体の前縁が分離されて、カム軸７４の回転によりカム７２が定位置へ戻った後で、ストリッパ・フィンガー構造を偏らせて定位置すなわち待機位置へ戻す。
【００２３】
カム軸７４は、ステッパモーターおよび付属のギヤ（図示せず）によって回転される。動作を伝達するこのような機構は当分野で公知であり、その詳細な説明は不要と思われる。
【００２４】
ストリッピング・バッフル構造３４（図２、３、および１５）は、ストリッパ・フィンガーとバッフル構造が相対的に動く間にストリッパ・フィンガー・アセンブリが貫通する開口部７８を有する溝付きベース部材を含む。ストリッピング・バッフルの機能は、受像媒体の前縁がストリッパ・フィンガーにより加熱されたフューザーロールから分離された後、残りの部分を分離することである。このために、ストリッパ・フィンガーが受像媒体の前縁を分離したならば、ストリッパ・バッフルは定位置すなわち待機位置から移動して受像媒体の分離を続けるべく適合されている。ストリッパ・バッフル・ベースの終端に取り付けられた１対のアーム８０（図９、１０、１２、および１５）は、ベース部材が稼動および非稼動位置の間を移動できるよう可動的に支持する役割を果たす。各アームの一方の終端には、第一のトラック８４（図１５）に収容されていてトラック構造５８の一部を形成する横方向に突き出たピン部材８２が配置されている。バッフルアームのもう一方の終端は軸８６にピボット回転可能に搭載されている。軸８６はまた、その一方の終端に隣接するブーメラン形の結合要素８８を支持する。結合要素は固定軸７０により中央近辺で支持されている。結合要素８８のもう一方の終端はカム軸７４に搭載されたカム９２と動作可能なように係合するカム従動子の役割を果たす。カム９２は、ストリッピング・バッフル構造を定位置すなわち待機位置と加熱されたフューザーロールに近接する稼動位置との間を自動的に移動させることで、ストリッパにより分離された受像媒体の前縁より奥側の部分を分離する。カム９２は結合要素８８のカム従動子終端を、固定軸７０の回りを回転させ、それにより軸８６に、バッフルベース部材２８に取り付けられたアーム８０を移動させる。
【００２５】
ストリッパ・バッフルはまた、紙詰まり除去を容易にすべく手作業で移動させることができる。このために、突き出たグリッパ部材９４（図１５）はバッフルのベースの一部を構成する。ピン部材８２をも収容する第二のガイドトラック９６対はピン部材８２がストリッピング・バッフルと共に、通常は下方へ、移動する経路を提供する。図１５に示すように、ピン部材が第一および第二のトラック組８４、８６の途中にある場合、ストリッパ・バッフルは待機位置にある。紙詰まり除去位置（図８〜１０）においてピン部材８２がトラック９６の底部、ストリッピング・バッフル構造の下げられた位置まで共に移動することで、詰まった受像媒体に手が届くようにできる。ストリッパ・バッフル構造の終端に固定された伸長バネ９８は、自身を定位置すなわち待機位置へ偏らせる役割を果たす。
【００２６】
以下の表に、図２〜１５の各々に対するストリッパ・フィンガーおよびストリッパ・バッフルの稼動、待機、および紙詰まり除去位置をどの図が示すかを掲載する。ストリッパ・フィンガーの稼動位置をストリッパ・バッフルの稼動位置との比較により、両方の構造を示す図面の各図における２個の構造の相対的な位置を示す。
【００２７】
【表１】
2004234004.tif 000003
【００２８】
動作時には、媒体除去装置のストリッパ・フィンガーおよびストリッパ・バッフル構造は協働して受像媒体を加熱されたフューザーロールから分離する。これらの２つの構造は当初、受像媒体がフューザーロールのニップ出口に到着する以前は待機位置にある。受像媒体がニップ出口に近づくにつれて、ストリッパ・フィンガー・アセンブリおよびストリッパ・フィンガー・バッフルが受像媒体経路の方へ移動することによりフィンガーの先端がストリッパ・バッフルの表面上方へ突き出る。フィンガーは、受像媒体の前縁をフューザーロールから分離するのに十分長い時間ストリッパ・バッフルの上方にある。従って、ストリッパ・フィンガーは受像媒体の最初の３〜１５ｍｍの間稼動すなわち受像媒体と接触し続ける。
【００２９】
トラック５４、５６、および８４の形状によりフィンガー４６およびバッフル２８をフューザーロール１２に対して一定のラジアル位置に保ちながらフューザーロール１２の中心の回りに回転可能にする。この回転によりフィンガーまたはバッフルを媒体受像経路内へ移動させる。トラックは加熱されたフューザーロールおよびストリッパ・フィンガー構造をフューザー装置から取り外し可能にする。トラック９６は、フューザーロール部品（トラック構造５８およびストリッパ・フィンガー構造３２）が保守作業のためにフューザー から取り外された際にストリッパ・バッフル・ガイドローラー８２を支持する。トラック９６は、フューザーを組み立て直すにあたって部品を元通りに組み合わせるためにオペレーターの介在を必要とせずにトラック８４と整列する。トラック９６はまた、ガイドを紙詰まり除去位置へ手操作で合わせる間、バッフルを誘導するために用いられる。
【００３０】
ストリッパ・フィンガーおよびストリッパ・バッフルは４種の異なる相対位置を占め、そのうち３種は上で述べたばかりである。すなわち、ストリッパ・フィンガーおよびバッフル構造は同時に待機位置を占め、ストリッパ・フィンガー構造が稼動中の場合にはストリッパ・バッフル構造は待機位置にある。逆に、ストリッパ・フィンガー構造が待機位置にある場合、ストリッパ・バッフル構造は稼動中である。最初の相対位置（すなわち待機位置にある両方のストリッパ構造）において、明らかに受像媒体の分離は生じない。第二の相対位置において、ストリッパ・フィンガー構造は稼動位置にあって、受像媒体の前縁を分離すべくストリッパ・フィンガーはバッフルの上方にある。第三の相対位置において、受像媒体の前縁より奥側の分離はストリッパ・バッフル構造が稼動位置にある状態でその制御下にある。
【００３１】
第四の相対位置において、ストリッパ・バッフル構造は手作業その他により稼動位置から、加熱されたフューザーロールから離れるように、初期状態で待機位置を占めていた方向へ移動される。ストリッパ・バッフルはまた、紙詰まり除去へ手が届きやすいように下向きに動かされる。
【００３２】
本発明について特定の好適な実施形態を参照しつつ詳述してきたが、さまざまな変更や改造が当業者には明らかである点に留意されたい。当業者が容易に思いつくような変更や実施形態はすべて添付の請求項の範囲に含まれるものとする。
【図面の簡単な説明】
【００３３】
【図１】電荷保持部材から熱圧フューザー装置のニップへ受像媒体を搬送するための電荷保持部材および真空輸送装置の模式図である。
【図２】ストリッパ・フィンガーの定位置すなわち待機位置およびストリッピング・バッフルが稼動すなわち媒体剥離位置にある状態を示す、加熱されたフューザーロールおよび媒体除去装置の側立面図である。
【図３】ストリッパ・フィンガーが定位置すなわち待機位置に、およびストリッピング・バッフル構造が稼動位置にある状態を示す、フューザーニップ出口すなわちフューザーの下流側から見た媒体除去装置の斜視図である。
【図４】図２および３と同じ位置でフューザーの上流すなわちフューザーニップ入口側から見た媒体除去装置の別の斜視図である。
【図５】ストリッパ・フィンガーが稼動すなわち前縁剥離位置に、およびストリッピング・バッフルが定位置すなわち待機位置にある状態を示す、媒体除去装置の側立面図である。
【図６】ストリッパ・フィンガーが稼動すなわち前縁剥離位置に、およびストリッピング・バッフルが定位置すなわち待機位置にある状態を示す、フューザーの下流すなわちニップ出口側から見た媒体除去装置の斜視図である。
【図７】ストリッパ・フィンガーが稼動すなわち媒体剥離位置に、およびストリッピング・バッフルが定位置すなわち待機位置にある状態を示す、フューザーの上流すなわちニップ入口側から見た媒体除去装置の別の斜視図である。
【図８】ストリッパ・バッフルが紙詰まり除去位置に、およびストリッパ・フィンガーが待機位置にある状態を示す、媒体除去装置の側立面図である。
【図９】フューザーの下流すなわち出口側から見てストリッパ・バッフルが紙詰まり除去位置に、およびストリッパ・フィンガーが待機位置にある状態を示す、媒体除去装置の斜視図である。
【図１０】フューザーの下流すなわち出口側から見てストリッパ・バッフルが紙詰まり除去位置に、およびストリッパ・フィンガーが待機位置にある状態を示す、媒体除去装置の別の斜視図である。
【図１１】ストリッパ・フィンガーおよびストリッピング・バッフルが定位置すなわち待機位置にある状態を示す、媒体除去装置の側立面図である。
【図１２】ストリッパ・フィンガーおよびストリッピング・バッフルが定位置すなわち待機位置にある状態を示す、フューザーの下流すなわちニップ出口から見た媒体除去装置の斜視図である。
【図１３】バッフル構造が取り外されていて、ストリッパ・フィンガーが稼動すなわち前縁剥離方向にある状態を示す、フューザーニップ出口すなわち下流側から見た媒体除去装置の斜視図である。
【図１４】バッフル構造が取り外されていて、ストリッパ・フィンガーが稼動すなわち前縁剥離位置にある状態を示す、出口または下流側から見た別の媒体除去装置の斜視図である。
【図１５】ストリッパ・フィンガー構造が取りはずされていて、バッフル・ストリッパが定位置すなわち待機位置にある状態を示す、媒体除去装置の下位および上流側すなわち入口から見た斜視図である。
【符号の説明】
【００３４】
１０  熱圧フューザー、１２  フューザーロール、１４  圧力ロール、１６  ニップ、１８  受像媒体、２０  電荷保持部材、２２  転写放電装置、２４  分離放電装置、２６  真空移送装置、２８  バッフルベース部材、３０  媒体位置センサー、３２  フィンガー・ストリッパ構造、３４  ストリッピング・バッフル構造、３６  ベース部材、３８  軸、４０  ストリッパ・フィンガー・アセンブリ、４２  ベース部材、４４  重ね板バネ、４６  プラスチック先端、４８  ねじりバネ、４９  支持アーム、５０  上部ガイドアーム、５２  下部ガイドアーム、５４  上部トラック、５６  下部トラック、５８  トラック構造、６２  フューザ−・フレーム部材、６６  分岐カム従動子、７０  固定軸、７２  カム、７４  カム軸、７６  引張りバネ部材、７８  開口部、８０  アーム、８２  ピン部材、８４  トラック、８６  軸、８８  結合要素、９２  カム、９４  グリッパ部材、９６  ガイドトラック、９８  伸張バネ。
【図１】
2004234004.tif 000004
【図２】
2004234004.tif 000005
【図３】
2004234004.tif 000006
【図４】
2004234004.tif 000007
【図５】
2004234004.tif 000008
【図６】
2004234004.tif 000009
【図７】
2004234004.tif 000010
【図８】
2004234004.tif 000011
【図９】
2004234004.tif 000012
【図１０】
2004234004.tif 000013
【図１１】
2004234004.tif 000014
【図１２】
2004234004.tif 000015
【図１３】
2004234004.tif 000016
【図１４】
2004234004.tif 000017
【図１５】
2004234004.tif 000018